(57)【特許請求の範囲】
【請求項１】
両端にクラスプを有し、歯列の内側に沿う略Ｕ字状の補強ワイヤーと、両クラスプ間を連結する架橋ワイヤーが埋め込まれ、歯の内側面に適合する凹凸を有し、補強ワイヤーと架橋ワイヤーが埋め込まれた外形辺縁から４〜５ｍｍだけ残して大部をくりぬいた形をとる口蓋辺縁に保持されるレジン床からなる支持部と、両端を前記クラスプの部分を含む補強ワイヤーに連結し、該補強ワイヤーの一部と歯列の一部を囲うループ枠を形成する保持ワイヤーと、該保持ワイヤーの一部を埋め込んだレジンパッドからなる緩衝部とから形成され、前記補強ワイヤーと、架橋ワイヤーまたは保持ワイヤーは互いにろう着し、歯列側のレジン辺縁は前歯部が歯顎部、臼歯部が歯冠豊隆部までとしてレジン厚を最小限にし、前記支持部を口蓋に装着した状態で、前記緩衝部のレジンパッドが歯茎の外側面に対向する位置に隙間を形成しながら保持される構成とした、上顎用歯科用リテーナー。
【請求項２】
両端にクラスプを有し、歯列の内側に沿う略Ｕ字状の補強ワイヤーが埋め込まれ、歯の内側面に適合する凹凸を有し、補強ワイヤーが埋め込まれた外形辺縁から４〜５ｍｍだけ残して大部をくりぬいた形をとる口蓋辺縁に保持されるレジン床からなる支持部と、両端を前記クラスプの部分を含む補強ワイヤーに連結し、該補強ワイヤーの一部と歯列の一部を囲うループ枠を形成する保持ワイヤーと、該保持ワイヤーの一部を埋め込んだレジンパッドからなる緩衝部とから形成され、前記補強ワイヤーと、保持ワイヤーは互いにろう着し、歯列側のレジン辺縁は前歯部が歯顎部、臼歯部が歯冠豊隆部までとしてレジン厚を最小限にし、前記支持部を口蓋に装着した状態で、前記緩衝部のレジンパッドが歯茎の外側面に対向する位置に隙間を形成しながら保持される構成とした、下顎用歯科用リテーナー。
【請求項３】
レジンパッドに埋め込まれた、保持ワイヤー部分を波状に折り曲げた、波形状部とした、請求項１記載の上顎用歯科用リテーナー。
【請求項４】
レジンパッドを前歯部の歯茎の外側面に対向する位置に隙間を形成しながら保持する構成とした、請求項１または３記載の上顎用歯科用リテーナー。
【請求項５】
レジンパッドを臼歯部の歯茎の外側面に対向する位置に隙間を形成しながら保持する構成とした、請求項１または３記載の上顎用歯科用リテーナー。
【請求項６】
レジンパッドに埋め込まれた、保持ワイヤー部分を波状に折り曲げた、波形状部とした、請求項２記載の下顎用歯科用リテーナー。
【請求項７】
レジンパッドを前歯部の歯茎の外側面に対向する位置に隙間を形成しながら保持する構成とした、請求項２または６記載の下顎用歯科用リテーナー。
【請求項８】
レジンパッドを臼歯部の歯茎の外側面に対向する位置に隙間を形成しながら保持する構成とした、請求項２または６記載の下顎用歯科用リテーナー。
【発明の詳細な説明】
【０００１】
【発明の属する技術分野】
本発明は、歯科において矯正した歯を矯正した状態に保定するために歯に嵌着する歯科用リテーナー、詳しくは口腔内における上顎または下顎を覆うことのない歯科用リテーナーに関する。
【０００２】
【従来の技術】
従来からの歯科用リテーナーは、歯の外側面に接触する唇側線のワイヤーと歯の内側面に適合する凹凸を備えた合成樹脂部とよりなり、該ワイヤーと該合成樹脂部の凹凸との間の隙間部に歯を挿嵌することにより歯科用リテーナーを歯に嵌着するようにしたものであるが、このものにあっては、歯の内側に位置する合成樹脂部は適度の柔軟性を有することが必要である。しかして、上記従来の歯科用リテーナーは、このような柔軟性を有する合成樹脂部により歯に対する固定力（「固定力」とは歯を矯正した状態に固定する力をいうものとする。）を持たせるようにしているため、該合成樹脂部は必然的に大型化しており、厚く且つ広幅に形成されている。特に、上顎歯用リテーナーにおける合成樹脂部は口腔内における上顎（硬口蓋）のほぼ全体を覆っている。従来の歯科用リテーナーは、このような大型の合成樹脂部を備えているため、次のような問題が生じている。
（１）違和感があり、装着感が悪い。
（２）発音障害が生ずる。
（３）食事の際に物が食べにくく、飲食物の味覚が損なわれる。
（４）合成樹脂部は熱の伝導性が低いため、飲食物の温度を敏感に感ずることができない。
（５）合成樹脂部は臭いが付き易く汚れやすいため、不快である。
（６）合成樹脂部は大型の場合には割れやすい。
【０００３】
歯科用リテーナーは極めて長期間にわたって使用し続ける必要があるため、これらの問題は歯科用リテーナーの使用者にとっては深刻であるとして、特開平８−１６８５００号公報は、叙上問題解決の提案をしている。
【０００４】
すなわち、図１３〜１７において、符号２１ａに示すものは上顎歯用リテーナー、符号２１ｂに示すものは下顎歯用リテーナーである。上顎歯用リテーナー２１ａは、上顎歯３ａ、３ａ…の外側面５ａ、５ａ…に接触するワイヤ部２３ａの両端２５ａ、２５ａを上顎歯３ａ、３ａ…の内側に位置する略U状の金属製支持部２７ａに連結し、該金属製支持部２７ａには上顎歯３ａ、３ａ…の内側面７ａ、７ａ…に適合する凹凸２９ａ、２９ａ…を備えた合成樹脂部３１ａを固定し、該ワイヤ部２３ａと該合成樹脂部３１ａの凹凸２９ａ、２９ａ…との間の隙間部３３ａに上顎歯３ａ、３ａ…を挿嵌するようにしたものである。一方、下顎歯用リテーナー２１ｂは、下顎歯３ｂ、３ｂ…の外側面５ｂ、５ｂ…に接触するワイヤ部２３ｂの両端２５ｂ、２５ｂを下顎歯３ｂ、３ｂ…の内側に位置する略U状の金属製支持部２７ｂに連結し、該金属製支持部２７ｂには下顎歯３ｂ、３ｂ…の内面側７ｂ、７ｂ…に適合する凹凸２９ｂ、２９ｂ…を備えた合成樹脂部３１ｂを固定し、該ワイヤ部２３ｂと該合成樹脂部３１ｂの凹凸２９ｂ、２９ｂ…との間の隙間部３３ｂに下顎歯３ｂ、３ｂ…を挿嵌するようにしたものである。
【０００５】
ワイヤ部２３ａ、２３ｂは一例としてコバルトクローム合金により形成する。金属製支持部２７ａ、２７ｂは例えばチタン合金、コバルトクローム合金、ＰＧＡ（白金合金）等により形成する。合成樹脂部３１ａ、３１ｂは例えばポリカーボネート、アクリル樹脂等の適度の柔軟性を備えた材料により形成する。
【０００６】
上顎歯用リテーナー２１ａにおける合成樹脂部３１ａには一端３５′を金属支持部２７ａに固定した金属製第一補強部材３５、３５を埋設している。
【０００７】
また、下顎歯用リテーナー２１ｂにおける合成樹脂部３１ｂには一端３７′を金属支持部２７ｂに固定した金属製第二補強部材３７、３７を貫通させ、該金属製第二補強部材３７、３７の他端３７′′を該合成樹脂部３１ｂより突出させている。
【０００８】
前記上顎歯用リテーナー２１ａにおける合成樹脂部３１ａには一端３９′を金属製支持部２７ａに固定した金属製第三補強部材３９、３９を貫通させ、該金属製第三補強部材３９、３９における合成樹脂部３１ａから突出した他端３９′′をワイヤ部２３ａに固定している。
【０００９】
しかして、この歯科用リテーナーにおいては、合成樹脂部と略Ｕ状の金属支持部の両者を極めて薄くかつ狭幅のものとすることができる。したがって、これを上顎歯または下顎歯に取り付けたときでも、口腔内における上顎または下顎は該歯科用リテーナーにより覆われることがない。ゆえに下記の効果を発揮する。
（１）違和感がなく、装着感が良い。
（２）発音障害が生じない。
（３）食事の際に物が食べ易く、飲食物の味覚が損なわれることはない。
（４）熱の伝導性が低い合成樹脂部は極めて薄くかつ狭幅であるため、飲食物の温度を敏感に感ずることができる。
（５）臭いが付き易く、汚れやすい合成樹脂部は極めて薄くかつ狭幅であるため、清潔である。
（６）支持部は金属製であるため、丈夫である。
（７）合成樹脂部は小型化されるため、割れが生ずるおそれはない。
【００１０】
金属製第一補強部材３５は合成樹脂部を補強する。したがって、合成樹脂部は丈夫なものとなる。
【００１１】
金属製第二補強部材３７の前記他端を歯の上面に係止させることにより、歯科用リテーナーは歯に対しより確実に固定される。
【００１２】
金属製第三補強部材３９により、歯科用リテーナーを歯に対しより確実に固定することができる。
としている。
【００１３】
【発明が解決しようとする課題】
しかるに叙上のリテーナーにあっては、以下列記の諸難点がみられる。
（１）「合成樹脂部と略Ｕ状の金属製支持部の両者を極めて薄くかつ狭幅のものとすることができる。」としているが、その内容は、チタン合金、コバルトクローム合金、ＰＧＡ（白金合金）等の扁平鍛造体の一方の端面に合成樹脂部の顎歯の内側面に適合する凹凸を備えた反対面を接続させる態様に固定（支持）（図１４、１５、１７）されてなるものであり、この両部材の単なる貼り合わせ（合成樹脂部を金属製支持部でバックアップしたものと解される）のみをもっては合成樹脂部（金属製支持部についても同様）についての補強効果はあまり期待し得るものではない。
【００１４】
（２）頻繁に着脱されるものを、口蓋部を覆う取付基盤を省略して歯列に沿う円弧状のワイヤーループ体で代替するとしたが、単なる板状の円弧状ループ枠では繰り返し縦、横、上下に加わるねじれに対して永続的に耐えることは極めて困難であるという新たな問題が生じるが、かかる脆弱性についての補完手当てがない。
【００１５】
（３）合成樹脂と金属製支持部の相互補強効果が小さいため、合成樹脂部の減少度合いも大きくすることができず、そのため装着時の違和感等を充分に小さくするまでには至っていない。
【００１６】
（４）金属製支持部は直接口蓋、舌あるいは食品等に触れるため、チタン合金、コバルトクローム合金、ＰＧＡ（白金合金）等の扁平鍛造体を使用する必要があり、材料コストは必然的に高くなる。
【００１７】
（５）ワイヤー部が歯の外側面の全領域にわたって露出しており、審美的な観点から問題があり、ひいては使用者に心理的にも悪影響を与える。
【００１８】
また、さらに叙上の特開平８−１６８５００号公報も含め、従来からの歯科用リテーナーには、歯列矯正後の後戻りの主要因の一つである、歯列の外側面からの、口輪筋、頬筋などの口腔周囲筋の圧力を、効果的に分散、緩和するための有効な機能を有せず、該圧力が直接、前歯部あるいは臼歯部の歯列に負荷し、後戻りを誘発してしまうという大きな問題点が、依然解消されずにある。
【００１９】
本発明は叙上の従来技術における問題点を解消すべく創案されたものであり、その目的とするところは、合成樹脂部と金属製支持部の効果的な相互補強方法により、特に歯列矯正後の後戻りにつながる、歯列の外側面からの、口輪筋、頬筋などの口腔周囲筋の圧力を効果的に緩和する機能を有し、同時にローコスト、合成樹脂量の減量により優れた着用性を実現し、金属製支持部分の露出を最小限にすることにより審美的にも優れた、歯科用リテーナーを提供することにある。
【００２０】
【課題を解決するための手段】
上記目的を達成する本発明の内、請求項１記載の発明の手段は、上顎用歯科用リテーナーにおいて、
両端にクラスプを有し、歯列の内側に沿う略Ｕ字状の補強ワイヤーと、両クラスプ間を連結する架橋ワイヤーが埋め込まれ、歯の内側面に適合する凹凸を有し、補強ワイヤーと架橋ワイヤーが埋め込まれた外形辺縁から４〜５ｍｍだけ残して大部をくりぬいた形をとる口蓋辺縁に保持されるレジン床からなる支持部を有すること、
両端を前記クラスプの部分を含む補強ワイヤーに連結し、該補強ワイヤーの一部と歯列の一部を囲うループ枠を形成する保持ワイヤーと、該保持ワイヤーの一部を埋め込んだレジンパッドからなる緩衝部を有すること、
前記補強ワイヤーと、架橋ワイヤーまたは保持ワイヤーは互いにろう着されていること、
歯列側のレジン辺縁は前歯部が歯顎部、臼歯部が歯冠豊隆部までとしてレジン厚を最小限にすること、
支持部を口蓋に装着した状態で、前記緩衝部のレジンパッドが歯茎の外側面に対向する位置に隙間を形成しながら保持される構成とすること、
にある。
【００２１】
請求項２記載の発明の手段は、下顎用歯科用リテーナーにおいて、
両端にクラスプを有し、歯列の内側に沿う略Ｕ字状の補強ワイヤーが埋め込まれ、歯の内側面に適合する凹凸を有し、補強ワイヤーが埋め込まれた外形辺縁から４〜５ｍｍだけ残して大部をくりぬいた形をとる口蓋辺縁に保持されるレジン床からなる支持部を有すること、
両端を前記クラスプの部分を含む補強ワイヤーに連結し、該補強ワイヤーの一部と歯列の一部を囲うループ枠を形成する保持ワイヤーと、該保持ワイヤーの一部を埋め込んだレジンパッドからなる緩衝部を有すること、
前記補強ワイヤーと、保持ワイヤーは互いにろう着されていること、
歯列側のレジン辺縁は前歯部が歯顎部、臼歯部が歯冠豊隆部までとしてレジン厚を最小限にすること、
支持部を口蓋に装着した状態で、前記緩衝部のレジンパッドが歯茎の外側面に対向する位置に隙間を形成しながら保持される構成とすること、
にある。
【００２２】
請求項１または請求項２記載の上記構成により、支持部では、レジンに補助ワイヤー、架橋ワイヤーが埋め込みされることで、レジン床とワイヤーの相互補強効果が充分に発揮され、該支持部自体で、歯列の内側への後戻りを抑止する機能を有し、さらに後述する緩衝部を確実にバックアップすることができる。
【００２３】
口蓋後縁を横切るレジンバー（両側クラスプ間架橋ワイヤー埋め込み部）の存在で立体架構体となるため装着したリテーナーの沈下やねじれ、側方拡大した症例の後戻りを防ぎ、指示した適正な位置に装着ができ、繰り返しの着脱による外力でも適度な復元力を持ち、修理・修正も容易である。
【００２４】
また、レジン床の口蓋への接触面積を小さくし、また薄肉にしても、支持部の機能が充分保持されるので、よって樹脂の使用量を大幅に低減することができ、着用時の違和感等の問題を改善することができる。
【００２５】
また、ワイヤーをレジンで覆うので、直接口蓋や舌あるいは食品等に接触することがなく、ローコストな規格品でよく、コスト的に有利である。
【００２６】
さらに、口蓋側の前歯部合成樹脂辺縁を舌でさわることにより舌の訓練が行うことができ、また前記レジンバーのバックアップで生じるレジン床部分の圧痕により患者の使用状況が認識できるという効果がある。
【００２７】
次に緩衝部では、両端をクラスプの部分を含む補強ワイヤーに連結され、補強ワイヤーと共に、歯列の一部を囲うループ枠を形成する保持ワイヤーの一部を埋め込むことにより、補強、バックアップされた状態で、歯茎の外側面に対向する位置に隙間を形成しながら、保持されるレジンパッドにより、特に歯列矯正後の後戻りにつながる、歯列の外側面からの、口輪筋および頬筋などの口腔周囲筋の圧力を分散、緩和し、力が直接一部の歯列部にかかるのを防ぎ、歯列の変形を防ぐ。
【００２８】
すなわち、レジンパッドと歯茎外側面との間に一定の隙間を形成しており、口腔周囲筋による圧力は直接一部の歯列に集中して負荷されることなく、スプリング的な効果により、レジンパッドから、保持ワイヤー、補強ワイヤー、最終的には前記支持部に伝わり、リテーナー全体の相互補完的な弾性変形により系全体に分散される。
【００２９】
また、このレジンパッドが、歯列の外側に位置する金属性の保持ワイヤーの大部分を埋め込み、かつ歯列の上部の歯茎の部分に位置するので、金属部材部分の露出は少なく、さらにレジンパッド自体も外から見え難くなり、審美的にも優れたものである。
【００３０】
請求項３または請求項６に記載の手段は、それぞれ請求項１または請求項２の発明の手段のうち、レジンパッドに埋め込まれた保持ワイヤー部分を波状に折り曲げた、波形状部とすることにある。
【００３１】
請求項３または請求項６の上記構成により、保持ワイヤーによるレジンパッドへの補強、バックアップ効果がより発揮され、緩衝部が口輪筋、頬筋などの口腔周囲筋による圧力をより効果的に緩和する。
【００３２】
請求項４に記載の手段は、請求項１または請求項３の、請求項７に記載の手段は請求項２または請求項６の発明の手段の内、レジンパッドを前歯部の歯茎の外側面に対向する位置に隙間を形成しながら保持する構成とした、ことにある。
【００３３】
請求項４または請求項７の上記構成により、特に過度な口輪筋による圧力を効果的に緩和し、前歯部の歯列の変形を防ぐことができる。
【００３４】
請求項５に記載の手段は、請求項１または請求項３の、請求項８に記載の手段は請求項２または請求項６の発明の手段の内、レジンパッドを臼歯部の歯茎の外側面に対向する位置に隙間を形成しながら保持する構成とした、ことにある。
【００３５】
請求項５または請求項８の上記構成により、特に、過度な頬筋による圧力を効果的に緩和し、臼歯部の歯列の変形を防ぐことができる。
【００３６】
【発明の実施の形態】
本発明の実施の形態を図１〜１２に基づいて説明する。
【００３７】
図１は本発明の第１実施例を示し、上顎用歯科用リテーナーの実施例であり、支持部１００ａは第一大臼歯をＣクラスプ１０４ａで囲んだ基本的な形を示し、緩衝部１１０ａが前歯部に位置した実施例である。
【００３８】
支持部１００ａでは、歯の内側面に適合する凹凸を有するところの口蓋の辺縁レジン床１０１ａは、囲成枠状であり、これに、前記Ｃクラスプ１０４ａから歯の内側面に沿って延長されたＵ字状の補強ワイヤー１０２ａが埋め込みされ、さらに、口蓋後縁を横切る（Ｃクラスプ１０４ａ、１０４ａ間に架設ろう着）架橋ワイヤー１０３ａが残りの辺に埋め込みされている。
【００３９】
なおこの例では最後臼歯をＣクラスプ１０４ａで囲う場合もある。
【００４０】
図５は第１実施例において、支持部１００ａの、辺縁レジン床１０１ａ、補強ワイヤー１０２ａ、の前歯部、臼歯部での位置相関を示したもので、（緩衝部１１０ａは省略）このような、歯列に対するレジンと補強ワイヤー１０２ａの配置、および相互補強により、支持部１００ａ自体で、歯列の内側への後戻りを抑止する機能を有し、さらに緩衝部１１０ａを確実にバックアップすることができる。
【００４１】
また図５は上記のようなレジンと補強ワイヤー１０２ａとの相互補強効果による、合成樹脂使用量低減度合を示したものでもあり、後述する他の実施例においても同様の状況を示す。
【００４２】
図１において、緩衝部１１０ａは、前歯部の歯茎外側面の部分、左右対称の、２箇所に保持ワイヤー１１１ａの一部を埋め込んだレジンパッド１１２ａが配置され、保持ワイヤー１１１ａはその両端を前記補強ワイヤー１０２ａにろう着され、該補強ワイヤー１０２ａの一部と左右の前歯部（中切歯、側切歯、犬歯計６本）を囲むようにしてループ枠を形成している。
【００４３】
さらに詳細には、保持ワイヤー１１１ａの両端は、歯列の内側部で左右対称に、それぞれ犬歯と第１小臼歯の間の隙間近傍に対向する位置で補強ワイヤー１０２ａにろう着され、該隙間を通って歯列を横断し、歯列の外側に達し、その位置から上方に歯茎の略中央高さまで立ち上げ、さらに略９０°水平方向に折り曲げ、歯茎の外側面と一定の隙間を形成しながら、該歯茎の外側周面に沿って、波状に折り曲げた、波形状部１１３ａを形成させ、前歯部に略左右対称に配置された、構造である。
【００４４】
左右対称に、２箇所、中切歯、側切歯、犬歯に渡って配置される、レジンパッド１１２ａは、保持ワイヤー１１１ａの歯茎外側周面の波形状部１１３ａをその中に埋め込みながら、保持ワイヤー１１１ａのバックアップにより、歯茎外側面との間に一定の隙間を形成しながら、その位置を保持している。
【００４５】
また、両レジンパッド１１２ａ間の正中部分では、保持ワイヤー１１１ａを露出させ、凹状に折り曲げた、凹形状部１１４ａ形成し（後述の第2実施例では凸形状部１１４ｂとなる。）、その部分に指を引っ掛けて、リテーナー全体の取り外しを可能な形状にしている。
【００４６】
上記のような緩衝部１１０ａの構成により、レジンパッド１１２ａと歯茎の外側面との間に一定の隙間を形成しているので、口腔周囲筋、特に口輪筋による圧力が発生した状態においても、この圧力が直接、前歯部を構成する歯列に集中して負荷されることなく、スプリング的な効果により、レジンパッド１１２ａから、保持ワイヤー１１１ａ、補強ワイヤー１０２ａ、最終的には前記支持部１００ａに伝わり、リテーナー全体の相互補完的な弾性変形により系全体に分散される。
【００４７】
またこの緩衝部１１０ａの大部分は、歯茎の高さ位置にあり、かつ保持ワイヤー１１１ａの大部分はレジンパッド１１２ａ内に埋め込まれているので、開口しても目立つことが無く審美的にも優れたものである。
【００４８】
図２は本発明の第２実施例を示し、下顎用歯科用リテーナーの実施例であり、上顎用を示した、実施例１と同様、支持部１００ｂは第一大臼歯をＣクラスプ１０４ｂで囲んだ基本的な形を示し、緩衝部１１０ｂが前歯部に位置した実施例である。
【００４９】
歯の内側面に適合する凹凸を有するところの口蓋の辺縁レジン床１０１ｂは、Ｕ字状に連続し、これに、該Ｃクラスプ１０４ｂから延長された補強ワイヤー１０２ｂが埋め込まれている。
【００５０】
なお、この例では最後臼歯をＣクラスプ１０４ｂで囲む場合もある。
【００５１】
また、第1実施例の上顎用と同様に、緩衝部１１０ｂでは、保持ワイヤー１１１ｂはその両端を補強ワイヤー１０２ｂにろう着され、該補強ワイヤー１０２ｂの一部と左右の前歯部（中切歯、側切歯、犬歯の計６本）を囲むようにしてループ枠を形成し、前歯部の歯茎外側面の部分、左右対称の位置に、２箇所、保持ワイヤー１１１ｂの波形状部１１３ｂを埋め込んだレジンパッド１１２ｂが配置されている。
【００５２】
図３は本発明の第３実施例を示し、上顎用歯科用リテーナーの実施例であり、支持部１００ａの構成は第１実施例と同様である。
【００５３】
緩衝部１１０ａは、臼歯部の歯茎外側面の部分、左右対称の位置に、２箇所、保持ワイヤー１１１ａの波形状１１３ａを埋め込んだレジンパッド１１２ａが配置され、保持ワイヤー１１１ａはその一端を犬歯と第１小臼歯の間の隙間を通して補強ワイヤー１０２ａに、他端を第一大臼歯を囲んだＣクラスプ１０４ａの該第１大臼歯の外側面に位置する部分にろう着され、補強ワイヤー１０２ａの一部と臼歯部（第１小臼歯、第２小臼歯、第１大臼歯）を囲むようにしてループ枠を形成している。
【００５４】
また、上記レジンパッド１１２ａは、保持ワイヤー１１１ａにより、第１小臼歯、第２小臼歯、第１大臼歯にわたって、歯茎外側面に対向し、一定の隙間を形成しながら、その位置を保持している。
【００５５】
上記のような緩衝部１１０ａの構成により、レジンパッド１１２ａと歯茎の外側面との間に一定の隙間を形成しているので、口腔周囲筋、特に頬筋による圧力が発生した状態においても、この圧力が直接、臼歯部を構成する歯列に集中して負荷されることなく、スプリング的な効果により、レジンパッド１１２ａから、保持ワイヤー１１１ａ、補強ワイヤー１０２ａ、最終的には前記支持部１００ａに伝わり、リテーナー全体の相互補完的な弾性変形により系全体に分散され、臼歯部の歯列の変形を防止することができる。
【００５６】
図４は本発明の第４実施例を示し、下顎用歯科用リテーナーの実施例であり、支持部１００ｂの構成は第２実施例と同様であり、緩衝部１１０ｂの構成は第３実施例と同様である。
【００５７】
なお本発明に用いる、ワイヤーに関しては、実際レジン床の中に埋め込まれるのでどの部分でろう着しても構わず、またその太さは０．９ｍｍ線を使用しているが、必要に応じて他の太さの線を使用する場合もある。
【００５８】
また緩衝部１１０ａ、１１０ｂに用いるレジンパッド１１２ａ、１１２ｂの厚さは２〜３ｍｍのものが好ましく、歯茎の外側面とのあいだに形成する隙間は１ｍｍ程度が好適である。
【００５９】
上記の第１〜４実施例では、支持部１００ａ、１００ｂの固定のための留め具として、Ｃクラスプ１０４ａ、１０４ｂを用いた例について記述したが、本発明においては、その目的に応じて、例えばアダムスクラスプ、二股Ｃクラスプ等の留め金を使用することがきる。たとえば第１臼歯と最後臼歯を二股Ｃクラスプで囲めば萌出途中の歯牙の咬合誘導が可能である。
【００６０】
また、本発明の上顎用歯科用リテーナー、下顎用歯科用リテーナーの支持部１００ａ、１００ｂにも夫々多くのバリエーションがあり、以下図６〜１２を参照しながら紹介する。（いずれの図においても緩衝部１１０ａ、または１１０ｂは省略して示す。）
【００６１】
図６〜９は上顎用歯科用リテーナーのバリエーションである。
図６は、前歯・口蓋を横切るレジン床１０１ａの正中部分に切開部１２１ａ、１２２ａを設け露出の補強ワイヤー１０２ａ、架橋ワイヤー１０３ａにオメガループ１２３ａ、１２４ａを付加した形である。成長にあわせて側方への拡大・縮小が可能なだけでなく、術後の拡大・縮小も可能である。
【００６２】
図７は、図６のものにおいて、前歯部の補強ワイヤー１０２ａとレジン床１０１ａを切断した形である。成長にあわせて側方への拡大・縮小が可能なだけでなく、術後の拡大・縮小も可能である。
【００６３】
図８は、図１のものにおける前歯部のレジン床１０１ａの正中部分に切開部１２１ａを設け露出の補強ワイヤー１０２ａにオメガループ１２３ａをスポットとして付加した形である。スポットによる舌位の意識づけを強化するための形である。
【００６４】
図９は、口蓋側歯頚部付近に沿わせた補強ワイヤー１０２ａにレジンを切削のうえ補助弾線１２５ａをろう着した形である。個々の歯牙の咬合誘導が可能である。
【００６５】
図１０は、下顎用歯科用リテーナーのバリエーションである。
図２のものにおける前歯部舌側レジン中央で分断し、レジン下部に拡大ワイヤー１２６ｂを沿わせた形である。成長にあわせて側方への拡大・縮小が可能なだけでなく、術後の拡大・縮小も可能である。
【００６６】
図１１、１２はそれぞれ、前歯部の矯正機能を有した上顎用歯科用リテーナーおよび下顎用歯科用リテーナーのバリエーションであるが、左右の中切歯、側切歯の計４本の歯の内側面に、接着部１２８ａ、１２８ｂで直接ボンデイングしながら、連結ワイヤー１２７ａ、１２７ｂで連結し、該連結部分をレジン床１０１ａ、１０１ｂのレジンで覆っている。ボンデイングにより前歯の４本を一体化し、矯正効果を賦与しながら、歯列の状態を適正に保定することができる。
【００６７】
【発明の効果】
本発明の上記構成により、合成樹脂部と金属製支持部の効果的な相互補強を達成、特に歯列矯正後の後戻りにつながる、歯列の外側面からの、口輪筋、頬筋などの口腔周囲筋の圧力を効果的に緩和する機能を有し、同時にローコストと、合成樹脂量の減量による優れた着用性を実現し、金属製支持部分の露出を最小限にすることにより審美的にも優れた、歯科用リテーナーを提供することができる。
【図面の簡単な説明】
【図１】本発明の第１実施例を示す、上顎用歯科用リテーナーの説明図である。
【図２】本発明の第２実施例を示す、下顎用歯科用リテーナーの説明図である。
【図３】本発明の第３実施例を示す、上顎用歯科用リテーナーの説明図である。
【図４】本発明の第４実施例を示す、下顎用歯科用リテーナーの説明図である。
【図５】本発明のレジンとワイヤーの相関を示した説明図である。
【図６】本発明の上顎用歯科用リテーナーのバリエーション説明図
【図７】本発明の上顎用歯科用リテーナーのバリエーション説明図
【図８】本発明の上顎用歯科用リテーナーのバリエーション説明図
【図９】本発明の上顎用歯科用リテーナーのバリエーション説明図
【図１０】  本発明の下顎用歯科用リテーナーのバリエーション説明図
【図１１】本発明の上顎用歯科用リテーナーのバリエーション説明図
【図１２】本発明の下顎用歯科用リテーナーのバリエーション説明図
【図１３】従来の歯科用リテーナーの説明図である。
【図１４】図１３中II−II線における断面図である。
【図１５】図１３中III−III線における断面図である。
【図１６】同上リテーナーの使用状態を示す説明図である。
【図１７】図１６中V−V線の断面図である。
【符号の説明】
３ａ  ；  上顎歯
３ｂ  ；  下顎歯
５ａ  ；  上顎歯の外側面
５ｂ  ；  下顎歯の外側面
７ａ  ；  上顎歯の内側面
７ｂ  ；  下顎歯の内側面
２１ａ  ；  上顎歯用リテーナー
２１ｂ  ；  下顎歯用リテーナー
２３ａ、ｂ  ；  ワイヤ部
２５ａ、ｂ  ；  ワイヤ部の両端
２７ａ、ｂ  ；  金属支持部
２９ａ、ｂ  ；  凹凸
３１ａ、ｂ  ；  合成樹脂部
３３ａ、ｂ  ；  隙間部
３５  ；  金属製第一補強部材
３５′  ；  一端
３７  ；  金属製第二補強部材
３７′  ；  一端
３７′′  ；  他端
３９  ；  金属製第二補強部材
３９′  ；  一端
３９′′  ；  他端
１００ａ  ；  支持部
１００ｂ  ；  支持部
１０１ａ  ；  レジン床
１０１ｂ  ；  レジン床
１０２ａ  ；  補強ワイヤー
１０２ｂ  ；  補強ワイヤー
１０３ａ  ；  架橋ワイヤー
１０４ａ  ；  Ｃクラスプ
１０４ｂ  ；  Ｃクラスプ
１１０ａ  ；  緩衝部
１１０ｂ  ；  緩衝部
１１１ａ  ；  保持ワイヤー
１１１ｂ  ；  保持ワイヤー
１１２ａ  ；  レジンパッド
１１２ｂ  ；  レジンパッド
１１３ａ  ；  波形状部
１１３ｂ  ；  波形状部
１１４ａ  ；  凹形状部
１１４ｂ  ；  凸形状部
１２１ａ  ；  切開部
１２２ａ  ；  切開部
１２３ａ  ；  オメガループ
１２４ａ  ；  オメガループ
１２５ａ  ；  補助弾線
１２６ｂ  ；  拡大ワイヤー
１２７ａ  ；  連結ワイヤー
１２７ｂ  ；  連結ワイヤー
１２８ａ  ；  接着部
１２８ｂ  ；  接着部
【図１】
0003637380.tif 000002
【図２】
0003637380.tif 000003
【図３】
0003637380.tif 000004
【図４】
0003637380.tif 000005
【図５】
0003637380.tif 000006
【図６】
0003637380.tif 000007
【図７】
0003637380.tif 000008
【図８】
0003637380.tif 000009
【図９】
0003637380.tif 000010
【図１０】
0003637380.tif 000011
【図１１】
0003637380.tif 000012
【図１２】
0003637380.tif 000013
【図１３】
0003637380.tif 000014
【図１４】
0003637380.tif 000015
【図１５】
0003637380.tif 000016
【図１６】
0003637380.tif 000017
【図１７】
0003637380.tif 000018